(57)【要約】      （修正有）【課題】眼科用レンズを射出成形、かつ／または圧縮成形して、使い捨てレンズを提供する。【解決手段】一例の眼科用レンズ２０は、把持部分２４、接眼部分２２、および把持部分と接眼部分の間に配置された主本体部分２６を備えることができ、把持部分、接眼部分、および主本体部分は、比重１．１〜１．８を有するポリメチルメタクリレートで一体に形成され、接眼部分は眼の角膜と接触するように形付けられ、主本体部分は把持部分から接眼部分に向かう方向に延びる弧を持つ湾曲した側壁を有し、弧は弧の弦の長さの少なくとも１．１５倍の長さを有し、主本体は、光を接眼部分に、かつ接眼部分から反射するための少なくとも１つの鏡面を有する。【選択図】図２
2019069265.tif 000002
【特許請求の範囲】
【請求項１】
把持部分と、接眼部分と、前記把持部分と前記接眼部分の間に配置された主本体部分とを備えた眼科用レンズであって、前記把持部分、前記接眼部分、および前記主本体部分が比重１．１〜１．８を有するポリメチルメタクリレートで一体に形成され、前記接眼部分が眼の角膜と接触するように形付けられ、前記主本体部分が前記把持部分から前記接眼部分に向かう方向に延びる弧を持つ湾曲した側壁を有し、前記弧が前記弧の弦の長さの少なくとも１．１５倍の長さを有し、前記主本体が光を前記接眼部分にかつ前記接眼部分から反射するための少なくとも１つの鏡面を有する、眼科用レンズ。
【請求項２】
比重が１．１５〜１．１９である、請求項１に記載の眼科用レンズ。
【請求項３】
前記鏡面上のアルミニウムコーティングをさらに含む、請求項１に記載の眼科用レンズ。
【請求項４】
前記アクリル樹脂が射出成形かつ／または圧縮成形される、請求項１に記載の眼科用レンズ。
【請求項５】
前記湾曲した側壁の回転軸が前記レンズの中心線と一致しない、請求項１に記載の眼科用レンズ。
【請求項６】
前記弧が前記把持部分から前記接眼部分まで延びる、請求項１に記載の眼科用レンズ。
【請求項７】
屈折率１．２から２．０を有する、請求項１に記載の眼科用レンズ。
【請求項８】
幅少なくとも１２ｍｍを持つゴニオ鏡、幅少なくとも１５．６ｍｍを持つ周辺鏡、および幅少なくとも２０ｍｍを持つアーケード鏡を有する、請求項１に記載の眼科用レンズ。
【請求項９】
長さ少なくとも２７．５ｍｍを有する、請求項８に記載の眼科用レンズ。
【請求項１０】
幅少なくとも１２．８ｍｍを持つゴニオ鏡、幅少なくとも１６．６ｍｍを持つ周辺鏡、および幅少なくとも２１．４ｍｍを持つアーケード鏡を有する、請求項１に記載の眼科用レンズ。
【請求項１１】
前記レンズは、幅少なくとも１５．５ｍｍをそれぞれが持つ４つの鏡を有するゴニオレンズである、請求項１に記載の眼科用レンズ。
【請求項１２】
長さ少なくとも１７ｍｍを有する、請求項１１に記載の眼科用レンズ。
【請求項１３】
前記レンズは、幅少なくとも１５．９ｍｍをそれぞれが持つ４つの鏡を有するゴニオレンズである、請求項１に記載の眼科用レンズ。
【請求項１４】
幅少なくとも１３．５ｍｍを持つ単一の鏡を有する、請求項１に記載の眼科用レンズ。
【請求項１５】
長さ少なくとも２１ｍｍを有する、請求項１４に記載の眼科用レンズ。
【請求項１６】
幅少なくとも１３．７ｍｍを持つ単一の鏡を有する、請求項１に記載の眼科用レンズ。
【請求項１７】
把持部分と、接眼部分と、前記把持部分と前記接眼部分の間に配置された主本体部分とを備える眼科用レンズであって、前記把持部分、前記接眼部分、および前記主本体部分が
成形されたポリメチルメタクリレートで一体に形成され、前記接眼部分が眼の角膜と接触するように形付けられ、前記主本体部分が前記把持部分から前記接眼部分に向かう方向に延びる弧を有する湾曲した側壁を有し、前記弧が前記弧の弦の長さの少なくとも１．１５倍の長さを有する、眼科用レンズ。
【請求項１８】
前記ポリメチルメタクリレートが比重１．１〜１．８を有する、請求項１７に記載の眼科用レンズ。
【請求項１９】
前記ポリメチルメタクリレートが比重１．１５〜１．１９を有する、請求項１７に記載の眼科用レンズ。
【請求項２０】
前記湾曲した側壁の回転軸が前記レンズの中心線と一致しない、請求項１７に記載の眼科用レンズ。
【請求項２１】
前記弧が前記把持部分から前記接眼部分まで延びる、請求項１７に記載の眼科用レンズ。
【請求項２２】
屈折率１．２から２．０を有する、請求項１７に記載の眼科用レンズ。
【請求項２３】
幅少なくとも１２ｍｍを持つゴニオ鏡、幅少なくとも１５．６ｍｍを持つ周辺鏡、および幅少なくとも２０ｍｍを持つアーケード鏡を有する、請求項１７に記載の眼科用レンズ。
【請求項２４】
長さ少なくとも２７．５ｍｍを有する、請求項２３に記載の眼科用レンズ。
【請求項２５】
幅少なくとも１２．８ｍｍを持つゴニオ鏡、幅少なくとも１６．６ｍｍを持つ周辺鏡、および幅少なくとも２１．４ｍｍを持つアーケード鏡を有する、請求項１７に記載の眼科用レンズ。
【請求項２６】
前記レンズは、幅少なくとも１５．５ｍｍをそれぞれが持つ４つの鏡を有するゴニオレンズである、請求項１７に記載の眼科用レンズ。
【請求項２７】
長さ少なくとも１７ｍｍを有する、請求項２６に記載の眼科用レンズ。
【請求項２８】
前記レンズは、幅少なくとも１５．９ｍｍをそれぞれが持つ４つの鏡を有するゴニオレンズである、請求項１７に記載の眼科用レンズ。
【請求項２９】
幅少なくとも１３．５ｍｍを持つ単一の鏡を有する、請求項１７に記載の眼科用レンズ。
【請求項３０】
長さ少なくとも２１ｍｍを有する、請求項２９に記載の眼科用レンズ。
【請求項３１】
幅少なくとも１３．７ｍｍを持つ単一の鏡を有する、請求項１７に記載の眼科用レンズ。
【請求項３２】
把持部分と、接眼部分と、前記把持部分と前記接眼部分の間に配置された主本体とを備えた眼科用レンズであって、前記把持部分、前記接眼部分、および前記主本体部分が比重１．１〜１．８を有するポリメチルメタクリレートで一体に形成され、前記接眼部分が眼の角膜と接触するように形付けられ、前記主本体部分が前記レンズの中心線と一致しない中心線を有する球面によって描かれる湾曲した側壁および鏡が光を前記接眼部分にかつ前
記接眼部分から反射するための少なくとも１つの平坦な表面を有する、眼科用レンズ。
【請求項３３】
比重が１．１５〜１．１９である、請求３２に記載の眼科用レンズ。
【請求項３４】
前記ポリメチルメタクリレートが射出成形される、請求項３２に記載の眼科用レンズ。
【請求項３５】
前記ポリメチルメタクリレートが圧縮成形される、請求項３２に記載の眼科用レンズ。
【請求項３６】
前記湾曲した側壁が前記把持部分から前記接眼部分まで延びる弧を有し、前記弧の長さが前記弧の弦の長さの少なくとも１．１５倍である、請求項３２に記載の眼科用レンズ。
【請求項３７】
屈折率１．２から２．０を有する、請求項３２に記載の眼科用レンズ。
【請求項３８】
把持部分と、接眼部分と、前記把持部分と前記接眼部分の間に配置された主本体部分とを備えた眼科用レンズであって、前記把持部分、前記接眼部分、および前記主本体部分が比重１．１〜１．８を有する成形されたポリメチルメタクリレートで一体に形成され、前記主本体部分は、幅少なくとも１５．５ｍｍを持つ平坦な表面をそれぞれが有する４つの鏡のための４つの平坦な表面を含み、前記眼科用レンズが長さ少なくとも１７ｍｍを有する、眼科用レンズ。
【請求項３９】
前記レンズの比重が１．１５〜１．１９であり、前記鏡のための前記平坦な表面のそれぞれの幅が少なくとも１５．９ｍｍであり、前記眼科用レンズの長さが少なくとも１７ｍｍである、請求項３８に記載の眼科用レンズ。
【請求項４０】
把持部分と、接眼部分と、前記把持部分と前記接眼部分の間に配置された主本体部分とを備える眼科用レンズであって、前記把持部分、前記接眼部分、および前記主本体部分が比重１．１〜１．８を有する成形されたポリメチルメタクリレートで一体に形成され、前記主本体部分が様々な寸法の鏡のための３つの平坦な表面を含み、鏡のための第１の表面が幅少なくとも１２ｍｍを有し、鏡のための第２の表面が幅少なくとも１５．６ｍｍを有し、鏡のための第３の表面が幅少なくとも２０ｍｍを有し、前記眼科用レンズが長さ少なくとも２７．５ｍｍを有する、眼科用レンズ。
【請求項４１】
前記レンズの比重が１．１５〜１．１９であり、前記第１の鏡の幅が少なくとも１２．８ｍｍであり、前記第２の鏡の幅が少なくとも１６．６ｍｍであり、前記第３の鏡の幅が少なくとも２１．４ｍｍであり、前記眼科用レンズが長さ少なくとも２７．５ｍｍを有する、請求項４０に記載の眼科用レンズ。
【請求項４２】
把持部分と、接眼部分と、前記把持部分と前記接眼部分の間に配置された主本体部分とを備える眼科用レンズであって、前記把持部分、前記接眼部分、および前記主本体部分が比重１．１〜１．８を有する成形されたポリメチルメタクリレートで一体に形成され、前記主本体部分が幅少なくとも１３．５ｍｍを有する鏡のための単一の平坦な表面を含み、前記眼科用レンズが長さ少なくとも２１ｍｍを有する、眼科用レンズ。
【請求項４３】
前記レンズの比重が１．１５〜１．１９であり、前記鏡の幅が少なくとも１３．７ｍｍであり、前記眼科用レンズが長さ少なくとも２１ｍｍを有する、請求項４２に記載の眼科用レンズ。
【請求項４４】
接眼部分と、前記接眼部分の反対側の拡大部分を備える眼科用レンズであって、前記接眼部分と前記拡大部分が比重１．１〜１．８を有する成形されたポリメチルメタクリレートで一体に形成され、前記眼科用レンズが少なくとも１１．５ｍｍの開口部および長さ少
なくとも９ｍｍを有する、眼科用レンズ。
【請求項４５】
前記レンズの比重が１．１５〜１．１９であり、前記レンズの開口部が少なくとも１２．５ｍｍであり、前記レンズの長さが少なくとも１１．７ｍｍである、請求項４４に記載の眼科用レンズ。
【請求項４６】
前記レンズが嚢切開用レンズである、請求項４５に記載の眼科用レンズ。
【請求項４７】
前記レンズの比重が１．１５〜１．１９であり、前記レンズの開口部が少なくとも１２．５ｍｍであり、前記レンズの長さが少なくとも１０ｍｍである、請求項４４に記載の眼科用レンズ。
【請求項４８】
前記レンズが虹彩切開用レンズである、請求項４７に記載の眼科用レンズ。
【請求項４９】
前記レンズが射出成形、かつ／または圧縮成形される、請求項４４に記載の眼科用レンズ。
【請求項５０】
比重１．１〜１．８、および屈折率１．２〜２．０を有する成形されたポリメチルメタクリレートで形成された接眼レンズであって、前記接眼レンズの前面が非球面である、接眼レンズと、
比重１．１〜１．８、および屈折率約１．２〜２．０を有する成形されたポリメチルメタクリレートで形成されたエントリーレンズであって、前記エントリーレンズの後面および前面が非球面であり、前記エントリーレンズの直径が３５ｍｍ以下である、エントリーレンズと
前記接眼レンズを前記エントリーレンズから離すための保持部とを備える眼科用レンズであって、前記眼科用レンズの前記接眼レンズの後面から前記エントリーレンズの前記前面までの長さが３４ｍｍ以下である、眼科用レンズ。
【請求項５１】
前記接眼レンズおよび前記エントリーレンズが比重１．１５〜１．１９を有する、請求項５０に記載の眼科用レンズ。
【請求項５２】
前記接眼レンズおよび前記エントリーレンズが屈折率約１．４９を有する、請求項５０に記載の眼科用レンズ。
【請求項５３】
前記接眼レンズの後面からの距離４０ｍｍ以下に実像を形成する、請求項５０に記載の眼科用レンズ。
【請求項５４】
前記接眼レンズおよび前記エントリーレンズの光学面が以下の式：
ｚ＝Ｃｒ２／（１＋√（１−（１＋ｋ）ｃ２ｒ２））＋ａ１ｒ２＋ａ２ｒ４＋．．．
で定義される、請求項５０に記載の眼科用レンズ。
【請求項５５】
前記接眼レンズの後面が以下の値
１／Ｃ＝７．８＋／−１．０
Ｋ＝０．０８８＋／−０．１
Ａ１＝０．００００７４３
を有し、前記接眼レンズの前面が以下の値
ｌ／Ｃ＝−９．０＋／−１．０
Ｋ＝−０．４
を有する、請求項５４に記載の眼科用レンズ。
【請求項５６】
前記エントリーレンズの後面が以下の値、
１／Ｃ＝１１．５＋／−１．０
Ｋ＝１．５＋／−０．５
を有し、前記エントリーレンズの前面が以下の値、
１／Ｃ＝２５．８＋／−１．０
Ｋ＝２．０＋／−０．５
を有する、請求項５４に記載の眼科用レンズ。
【請求項５７】
前記エントリーレンズの後面が、以下の値
１／Ｃ＝８．０＋／−１．０
Ｋ＝−１．７＋／−０．５
を有し、前記エントリーレンズの前面が以下の値
１／Ｃ＝−１４．０＋／−１．０
Ｋ＝−２．０＋／−０．５
を有する、請求項５４に記載の眼科用レンズ。
【発明の詳細な説明】
【技術分野】
【０００１】
[0001]本発明は、眼科用レンズに関し、より詳細には、改善された光学的特性を有し、低コストで大量に製造することができる成形された眼科用レンズ(ophthalmic lens)に関
する。
関連出願の相互参照
[0002]本出願は、参照により本明細書に組み込まれる、「ＭＯＬＤＥＤ  ＯＰＨＴＨＡＬＭＩＣ  ＬＥＮＳ」という名称の米国特許出願第１２／９４１，１６４号に関連する。
【背景技術】
【０００２】
[0003]眼科用レンズは、眼科医および検眼士によって、眼の診断および治療に使用される。図１で示したような周知の眼科用レンズは、円錐形を有する主本体部分１０、および臨床医が目を検査し、または治療するために使用される光路内の少なくとも１つの鏡面１２を有するように機械加工される。周知の眼科用レンズは機械加工されるため、製造コストが非常に高く、大量に生産することができない。
【発明の概要】
【課題を解決するための手段】
【０００３】
[0004]本発明により、以前の眼科用レンズの欠点が克服された。本発明の眼科用レンズは、湾曲した形状、および以前の同じタイプの眼科用レンズよりも大きい開口部(clear aperture)を有する成形されたレンズである。本発明の眼科用レンズを高い光学的特性を持つように大量に生産することができる。さらに、本発明の眼科用レンズの開口部は周知の同じタイプの眼科用レンズよりも大きいため、臨床医が使用する光路が周知の眼科用レンズの光路よりも大きい。その結果、本発明の眼科用レンズでは、検査中にレンズを操作し、または回転させる必要が低減され、そのため、眼科用レンズによる角膜の擦過傷の可能性が低減される。臨床医は、診断および／または治療のために、眼の内部をより迅速に見ることもできるようになる。さらに、開口部が比較的大きいため、臨床医は従来の眼科用レンズでは不可能であった処置を行うことができる。
【０００４】
[0005]より具体的には、一実施形態によれば、本発明の眼科用レンズは、把持部分、接眼部分、および把持部分と接眼部分の間に配置された主本体部分を含み、把持部分、接眼部分、および主本体部分は、比重１．１〜１．８および屈折率１．２〜２．０を有するポリメチルメタクリレートで一体に形成される。接眼部分は眼の角膜と接触するように形付けられる。主本体部分は、把持部分から接眼部分に向かう方向に延びる弧を持つ湾曲した側壁を有し、弧は、弧の弦の長さの少なくとも１．１５倍の長さを有する。主本体は、光を接眼部分に、かつ接眼部分から反射するための少なくとも１つの鏡面も含む。
【０００５】
[0006]本発明の他の実施形態によれば、眼科用レンズは、接眼部分、および接眼部分の反対側の拡大部分を含み、接眼部分と拡大部分は比重１．１〜１．８を有する成形されたポリメチルメタクリレートで一体に形成され、眼科用レンズは、少なくとも１１．５ｍｍの開口部および長さ少なくとも９ｍｍを有する。
【０００６】
[0007]本発明の他の実施形態によれば、眼科用レンズは、それぞれ比重１．１９以下および屈折率約１．２〜２．０を有する成形されたポリメチルメタクリレートで形成された接眼レンズおよびエントリーレンズ(entry lens)を含む。接眼レンズの前面は非球面である。エントリーレンズは両面非球面であり、直径３５ｍｍ以下を有する。保持部は、眼科用レンズの接眼レンズの後面からエントリーレンズの前記前面までの長さが３４ｍｍ以下であるように、エントリーレンズを接眼レンズから離す。
【０００７】
[0008]本発明の一実施形態では、眼科用レンズは射出成形、かつ／または圧縮成形される。
[0009]本発明の上記その他の目的、利点、および新規な特徴、並びに、本発明の図で示した実施形態の詳細が、以下の説明、および図面からより完全に理解されるであろう。
【図面の簡単な説明】
【０００８】
【図１】[0010]従来技術の眼科用レンズを示す斜視図である。
【図２】[0011]本発明の一実施形態による成形された眼科用レンズを示す斜視図である。
【図３】[0012]図２の眼科用レンズの湾曲した主本体部分の弧および弦を示す図である。
【図４Ａ】[0013]第１の鏡またはゴニオ鏡（Ｇｏｎｉｏ  ｍｉｒｒｏｒ）が示されている、３つの鏡を持つ本発明による眼科用レンズを示す斜視図である。
【図４Ｂ】[0014]第２または周辺鏡(periphery mirror)が示されている、図４Ａの３つの鏡を有する眼科用レンズを示す斜視図である。
【図４Ｃ】[0015]第３またはアーケード鏡（Ａｒｃａｄｅｓ  ｍｉｒｒｏｒ）が示されている、図４Ａの３つの鏡を有する眼科用レンズを示す斜視図である。
【図５】[0016]本発明によるゴニオレンズを示す斜視図である。
【図６】[0017]本発明の眼科用レンズの他の実施形態を示す斜視図である。
【図７】[0018]嚢切開用レンズのための図６のレンズを示す断面図である。
【図８】[0019]図６のレンズを示す上面図である。
【図９】[0020]虹彩切開用レンズのための図６のレンズを示す断面図である。
【図１０】[0021]眼底の観察に使用される間接レンズのための本発明の眼科用レンズの他の実施形態を示す図である。
【図１１】眼底の観察に使用される間接レンズのための本発明の眼科用レンズの他の実施形態を示す図である。
【発明を実施するための形態】
【０００９】
[0022]図２で示したように、本発明の一実施形態による眼科用レンズ２０は、接眼部分２２、把持部分２４、および接眼部分２２と把持部分２４の間に配置された主本体部分２６を有する。眼科用レンズ２０の接眼部分２２は、眼の角膜と合うように形付けられる。好ましい一実施形態では、レンズの接眼部分は、直径約１２．５ｍｍ、曲率半径７．７５ｍｍを有する。眼科用レンズ２０の把持部分２４は、全般的に円筒形の側壁を有することができる。好ましい一実施形態では、把持部分２４は、臨床医が診断または治療中にレンズ２０を容易に把持し続けることができるようにテクスチャが付けられる。所望の場合は、比較的大きい把持面を把持部分２４に加えることができることを留意されたい。接眼部分２２の反対側のレンズ２０の表面２８は平面でもよく、または拡大するために湾曲させてもよい。
【００１０】
[0023]眼科用レンズ２０の接眼部分２２、主本体部分２６、および把持部分２４は、成形された光学グレードのアクリル樹脂で一体に形成される。好ましい一実施形態では、アクリル樹脂はポリメチルメタクリレートである。アクリル樹脂は、比重１．１〜１．８を有することができる。好ましい一実施形態では、アクリル樹脂の比重は１．１５〜１．１９であり、アクリル樹脂の屈折率は１．２から２．０である。成形される眼科用レンズは、射出成形、かつ／または圧縮成形することができる。
【００１１】
[0024]眼科用レンズ２０を成形用に最適化するには、眼科用レンズ２０の主本体部分２６が、２次元に湾曲した、または少なくとも２つの軸について湾曲した側壁３０を有する。好ましい一実施形態では、湾曲した側壁３０は、レンズ２０の中心線と一致しない中心
線を有する球面によって描かれる。図２および３で示したように、湾曲した側壁３０は、把持部分２４の点Ａから接眼部分２２の点Ｂまで延びる弧３２を有する。弧２２の長さは弦ＡＢの長さＸの１．１５倍以上であり、すなわち、点Ａから点Ｂまで延びる線分である。把持部分２４から接眼部分２２に向かう方向に延びる弧３２を有する側壁３０の形状は、成形過程中に型の表面に付着する傾向がある破片、気泡などが全てレンズの光学的中心線から離れるように収集されて、成形される眼科用レンズの光学的特性を向上させることができるようにする。さらに、弧３２を有する湾曲した側壁の形状も成形過程中の収縮を最低限に抑える。
【００１２】
[0025]眼科用レンズ２０の主本体２６は、少なくとも１つの平坦な鏡面３４も有するように成形される。主本体２６の湾曲した形状のさらなる利点は、眼科用レンズ２０の１つまたは複数の鏡面が、以前の同じタイプの眼科用レンズの鏡面よりも大きいことである。したがって、臨床医が患者の眼の検査中に使用する光路が大きくなり、そのため、検査中に眼科用レンズ２０を操作し、または回転させる必要が低減される。それによって、臨床医が眼の内部をより迅速に見ることができるようになり、検査、および／または治療の処置が改善される。さらに、レンズの操作による患者の角膜の擦過傷の可能性が低減される。単一の鏡面３４を有する眼科用レンズ２０では、鏡面３４の幅Ｗは少なくとも１３ｍｍ、好ましくは１３．７ｍｍ以上でもよい。眼科用レンズ２０の長さＬは、少なくとも２１ｍｍである。好ましい一実施形態では、鏡面３４はアルミニウムコーティングを有する。
【００１３】
[0026]図４Ａ〜４Ｃは、レンズ４０の湾曲した主本体部分２６内に形成された３つの鏡面４１、４２、および４３を有する眼科用レンズ４０を示している。眼科用レンズ４０の長さＬは、少なくとも２７．５ｍｍである。第１の鏡面４１は、幅少なくとも１２ｍｍ、かつ、好ましくは１２．８ｍｍ以上を有するゴニオ鏡でもよい。眼科用レンズ４０の第２の鏡面４２は、幅少なくとも１５．６ｍｍ、かつ、好ましくは１６．６ｍｍ以上を有する周辺鏡でもよい。レンズ４０の第３の鏡面４３は、幅少なくとも２０ｍｍ、かつ、好ましくは２１．４ｍｍ以上を有するアーケード鏡でもよい。好ましい一実施形態では、それぞれ鏡面４１、４２、および４３はアルミニウムコーティングを有する。
【００１４】
[0027]図５は、眼科用レンズ５０の湾曲した主本体部分体２６内に形成された４つの平坦な鏡面５２を有するゴニオレンズ５０を示している。レンズ４０の長さＬは少なくとも１７ｍｍである。ゴニオレンズ５０の平坦な鏡面５２は連続しているため、弧３２の部分５１は点線で示したように突き出ていることを留意されたい。したがって、ゴニオレンズの弧３２は、突出部分５１の反対側の実部分５３を含み、弧３２の長さ、すなわち実部分５３と突出部分５１の長さの合計は、少なくとも弧３２の弦の長さの１．１５倍である。各鏡面５２は、幅少なくとも１５．５ｍｍ、かつ、好ましくは１５．９ｍｍ以上を有することができる。好ましい一実施形態では、各鏡面５２はアルミニウムコーティングを有する。
【００１５】
[0028]図６〜９で示したように、本発明の眼科用レンズ６０の他の実施形態では、レンズ６０は、光学レンズ６４とは別個に作製された非一体型保持部６２を含む。光学または眼科用レンズ６４は、比重１．１〜１．８、かつ、好ましくは１．１５〜１．１９を有するポリメチルメタクリレートで一体に形成された接眼部分６６と拡大部分６８を含む。眼科用レンズ６４の屈折率は１．２〜２．０であり、好ましくは１．４９である。眼科用レンズ６４は、射出成形、かつ／または圧縮成形される。眼科用レンズ６４は、少なくとも１１．５ｍｍ、かつ、好ましくは１２．５ｍｍの開口部を有する。開口部は、臨床医がその中を見る眼科用レンズ６４の最前面７０の直径である。眼科用レンズ６４の最後面は患者の眼と接触する表面７２である。図２〜６の実施形態では、光路内に鏡を有する眼科用レンズの開口部は鏡の幅であることを留意されたい。図７で示したような、嚢切開用レンズでは、眼科用レンズ６４の長さは、少なくとも９ｍｍであり、好ましくは１１．７ｍｍ
である。図９で示したような、虹彩切開用レンズ７４では、眼科用レンズ７４の長さは、少なくとも９ｍｍ、好ましくは１０ｍｍであり、開口部は、少なくとも１１．５ｍｍ、好ましくは１２．５ｍｍである。虹彩切開用レンズ７４は、拡大部分７６が偏心している以外は、上記のように、ポリメチルメタクリレートで一体に形成された接眼部分６６と拡大部分７６を有する嚢切開用レンズ６４と同様である。すなわち、虹彩切開用レンズの拡大レンズの頂点は接眼部分６６の光学的中心線から偏心される。１１．５ｍｍ、かつ、好ましくは１２．５ｍｍの開口部は以前の嚢切開および虹彩切開用のレンズの開口部よりも大きいことを留意されたい。これは非常に有利である。たとえば、より大きい開口部によって、医師が、以前の周知の嚢切開用レンズでは行うことができなかった周辺の嚢切開を行うことができるようになる。
【００１６】
[0029]本発明の他の実施形態では、図１０および１１で示したような、眼底を観察するための間接眼科用レンズ８０は、接眼レンズ８２、および保持部９２によって支持されるエントリーレンズ８３を含む。それぞれ接眼レンズ８２およびエントリーレンズ８３は、比重１．１〜１．８、好ましくは１．１５〜１．１９、および屈折率１．２〜２．０、好ましくは１．４９を有する成形されたポリメチルメタクリレートで形成される。接眼レンズ８２およびエントリーレンズ８３は、射出成形、かつ／または圧縮成形される。接眼レンズ８２は、角膜の表面と実質的に同じ曲率半径を持つ後面８４を有する。接眼レンズの前面８６は、接眼レンズ８２を通して患者の眼に入る光線が患者の眼の眼底に集束されるように非球面形を有する。エントリーレンズ８３は、接眼レンズ８２の前側に位置付けられ、接眼レンズ８２とエントリーレンズ８３の光軸は実質的に一致する。それぞれエントリーレンズ８３の前面８８および後面９０は、以下に記載するように非球面である。保持部９２は、エントリーレンズ８３を接眼レンズ８２から離して、眼底からの光線を収集し、空中の実像９４を生成する。像９４はエントリーレンズ８３に非常に近接して存在する。好ましい一実施形態では、レンズ８２および８３の光学的曲率、並びにレンズ８２と８３の間隔により、レンズ８２の後面８４から４０ｍｍ未満の位置に実の空中像９４が形成される。好ましい一実施形態では、眼科用レンズ８０のエントリーレンズの前面８８から接眼レンズの後面８４までの長さＬは、３４ｍｍ以下である。さらに、エントリーレンズ８３の好ましい直径Ｃは３５ｍｍ以下である。
【００１７】
[0030]レンズ８２および８３の光学面は以下の式で定義される：
ｚ＝Ｃｒ２／（１＋√（１−（１＋ｋ）ｃ２ｒ２））＋ａ１ｒ２＋ａ２ｒ４＋．．．
[0031]レンズ８２の後面８４については以下の値が好ましい。
【００１８】
１／Ｃ＝７．８＋／−１．０
Ｋ＝０．０８８＋／−０．１
Ａ１＝０．００００７４３
[0032]レンズ８２の前面８６については以下の値が好ましい。
【００１９】
ｌ／Ｃ＝−９．０＋／−１．０
Ｋ＝−０．４
[0033]倍率１．０×を有する眼科用レンズ８０に関して、エントリーレンズの後面９０については以下の値が好ましい。
【００２０】
１／Ｃ＝１１．５＋／−１．０
Ｋ＝１．５＋／−０．５
[0034]エントリーレンズの前面８８については以下の値が好ましい。
【００２１】
１／Ｃ＝２５．８＋／−１．０
Ｋ＝２．０＋／−０．５
[0035]かつ、倍率０．７×を有する眼科用レンズ８０に関して、エントリーレンズの後面９０については以下の値が好ましい。
【００２２】
１／Ｃ＝８．０＋／−１．０
Ｋ＝−１．７＋／−０．５
[0036]かつ、エントリーレンズの前面８８については以下の値が好ましい。
【００２３】
１／Ｃ＝−１４．０＋／−１．０
Ｋ＝−２．０＋／−０．５
[0037]本発明の眼科用レンズは、レンズの成形過程を最適化するように形付けられ、レンズの光学的特性を向上させる。具体的には、各レンズの開口部が、以前の周知の同じタイプのレンズよりも大きい。さらに、本発明の眼科用レンズは、機械加工とは対照的に成形されるため、本発明の眼科用レンズは低コストで大量に生産することができる。したがって、本発明の眼科用レンズは、レンズの使い捨て用途に特に適している。本発明の眼科用レンズは、一回使用し、その後に廃棄することができる使い捨ての眼科用レンズであるため、レンズを介した病気の伝播が実質的に低減される。
【００２４】
[0038]上記の教示を考慮すると、本発明の多くの修正形態および変形形態が可能である。したがって、理解されるように、添付の特許請求の範囲内で、本発明を本明細書に上述した以外の方法で実施することができる。
【図１】
2019069265.tif 000003
【図２】
2019069265.tif 000004
【図３】
2019069265.tif 000005
【図４Ａ】
2019069265.tif 000006
【図４Ｂ】
2019069265.tif 000007
【図４Ｃ】
2019069265.tif 000008
【図５】
2019069265.tif 000009
【図６】
2019069265.tif 000010
【図７】
2019069265.tif 000011
【図８】
2019069265.tif 000012
【図９】
2019069265.tif 000013
【図１０】
2019069265.tif 000014
【図１１】
2019069265.tif 000015
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
把持部分と、接眼部分と、前記把持部分と前記接眼部分の間に配置された主本体部分とを備えた眼科用レンズであって、前記把持部分、前記接眼部分、および前記主本体部分が比重１．１〜１．８を有する成形されたポリメチルメタクリレートで一体に形成され、前記主本体部分は、幅少なくとも１５．５ｍｍを持つ平坦な表面をそれぞれが有する４つの鏡のための４つの平坦な表面を含み、前記眼科用レンズが長さ少なくとも１７ｍｍを有する、眼科用レンズ。
【請求項２】
前記レンズの比重が１．１５〜１．１９であり、前記鏡のための前記平坦な表面のそれぞれの幅が少なくとも１５．９ｍｍであり、前記眼科用レンズの長さが少なくとも１７ｍｍである、請求項１に記載の眼科用レンズ。
【請求項３】
把持部分と、接眼部分と、前記把持部分と前記接眼部分の間に配置された主本体部分とを備える眼科用レンズであって、前記把持部分、前記接眼部分、および前記主本体部分が比重１．１〜１．８を有する成形されたポリメチルメタクリレートで一体に形成され、前記主本体部分が様々な寸法の鏡のための３つの平坦な表面を含み、鏡のための第１の表面が幅少なくとも１２ｍｍを有し、鏡のための第２の表面が幅少なくとも１５．６ｍｍを有し、鏡のための第３の表面が幅少なくとも２０ｍｍを有し、前記眼科用レンズが長さ少なくとも２７．５ｍｍを有する、眼科用レンズ。
【請求項４】
前記レンズの比重が１．１５〜１．１９であり、前記第１の鏡の幅が少なくとも１２．８ｍｍであり、前記第２の鏡の幅が少なくとも１６．６ｍｍであり、前記第３の鏡の幅が少なくとも２１．４ｍｍであり、前記眼科用レンズが長さ少なくとも２７．５ｍｍを有する、請求項３に記載の眼科用レンズ。
【請求項５】
把持部分と、接眼部分と、前記把持部分と前記接眼部分の間に配置された主本体部分とを備える眼科用レンズであって、前記把持部分、前記接眼部分、および前記主本体部分が比重１．１〜１．８を有する成形されたポリメチルメタクリレートで一体に形成され、前記主本体部分が幅少なくとも１３．５ｍｍを有する鏡のための単一の平坦な表面を含み、前記眼科用レンズが長さ少なくとも２１ｍｍを有する、眼科用レンズ。
【請求項６】
前記レンズの比重が１．１５〜１．１９であり、前記鏡の幅が少なくとも１３．７ｍｍであり、前記眼科用レンズが長さ少なくとも２１ｍｍを有する、請求項５に記載の眼科用レンズ。
【請求項７】
接眼部分と、前記接眼部分の反対側の拡大部分を備える眼科用レンズであって、前記接眼部分と前記拡大部分が比重１．１〜１．８を有する成形されたポリメチルメタクリレートで一体に形成され、前記眼科用レンズが少なくとも１１．５ｍｍの開口部および長さ少
なくとも９ｍｍを有する、眼科用レンズ。
【請求項８】
前記レンズの比重が１．１５〜１．１９であり、前記レンズの開口部が少なくとも１２．５ｍｍであり、前記レンズの長さが少なくとも１１．７ｍｍである、請求項７に記載の眼科用レンズ。
【請求項９】
前記レンズが嚢切開用レンズである、請求項８に記載の眼科用レンズ。
【請求項１０】
前記レンズの比重が１．１５〜１．１９であり、前記レンズの開口部が少なくとも１２．５ｍｍであり、前記レンズの長さが少なくとも１０ｍｍである、請求項７に記載の眼科用レンズ。
【請求項１１】
前記レンズが虹彩切開用レンズである、請求項１０に記載の眼科用レンズ。
【請求項１２】
前記レンズが射出成形、かつ／または圧縮成形される、請求項７に記載の眼科用レンズ。
【請求項１３】
比重１．１〜１．８、および屈折率１．２〜２．０を有する成形されたポリメチルメタクリレートで形成された接眼レンズであって、前記接眼レンズの前面が非球面である、接眼レンズと、
比重１．１〜１．８、および屈折率約１．２〜２．０を有する成形されたポリメチルメタクリレートで形成されたエントリーレンズであって、前記エントリーレンズの後面および前面が非球面であり、前記エントリーレンズの直径が３５ｍｍ以下である、エントリーレンズと
前記接眼レンズを前記エントリーレンズから離すための保持部とを備える眼科用レンズであって、前記眼科用レンズの前記接眼レンズの後面から前記エントリーレンズの前記前面までの長さが３４ｍｍ以下である、眼科用レンズ。
【請求項１４】
前記接眼レンズおよび前記エントリーレンズが比重１．１５〜１．１９を有する、請求項１３に記載の眼科用レンズ。
【請求項１５】
前記接眼レンズおよび前記エントリーレンズが屈折率約１．４９を有する、請求項１３に記載の眼科用レンズ。
【請求項１６】
前記接眼レンズの後面からの距離４０ｍｍ以下に実像を形成する、請求項１３に記載の眼科用レンズ。
【請求項１７】
前記接眼レンズおよび前記エントリーレンズの光学面が以下の式：
ｚ＝Ｃｒ2／（１＋√（１−（１＋ｋ）ｃ2ｒ2））＋ａ１ｒ2＋ａ２ｒ4＋．．．
で定義される、請求項１３に記載の眼科用レンズ。
【請求項１８】
前記接眼レンズの後面が以下の値
１／Ｃ＝７．８＋／−１．０
Ｋ＝０．０８８＋／−０．１
Ａ１＝０．００００７４３
を有し、前記接眼レンズの前面が以下の値
ｌ／Ｃ＝−９．０＋／−１．０
Ｋ＝−０．４
を有する、請求項１７に記載の眼科用レンズ。
【請求項１９】
前記エントリーレンズの後面が以下の値、
１／Ｃ＝１１．５＋／−１．０
Ｋ＝１．５＋／−０．５
を有し、前記エントリーレンズの前面が以下の値、
１／Ｃ＝２５．８＋／−１．０
Ｋ＝２．０＋／−０．５
を有する、請求項１７に記載の眼科用レンズ。
【請求項２０】
前記エントリーレンズの後面が、以下の値
１／Ｃ＝８．０＋／−１．０
Ｋ＝−１．７＋／−０．５
を有し、前記エントリーレンズの前面が以下の値
１／Ｃ＝−１４．０＋／−１．０
Ｋ＝−２．０＋／−０．５
を有する、請求項１７に記載の眼科用レンズ。
【外国語明細書】
2019069265000001.pdf